(57)【要約】      （修正有）【課題】天候に大きく左右されることなく発電面積的にも効率の良い新規な再生可能エネルギーをバイオマス燃料、特に検査認証のされたバイオエタノールによる発電システムを提供する。【解決手段】バイオマス燃料、特に１００％植物由来である事が検査認証されたバイオエタノール１からエタノール専用の改質器２によって水素を作成し、作成した水素を燃料電池又は水素用ガスタービンで、途切れる事がない時間と、同一場所、同一ラインによる発電までを一貫して行なう事により、他の化石燃料等が混入される余地のないことを検証のできる発電行程により、完全な再生可能エネルギーを作成する。【選択図】図１
2019067485.tif 000002
【特許請求の範囲】
【請求項１】
バイオエタノールをエタノール専用の改質器で水素を作成し、作成したグリーン水素を燃料電池で、又は水素用ガスタービンで途切れる事がない時間と、同一場所、同一ラインによる発電までを一貫して行なう事による完全な再生可能エネルギーの作成法。
【請求項２】
請求項１に記載のバイオエタノールは１００％植物由来である事並びに、生産会社、生産プロセスが検定所において検査認証され、それぞれが証明のされた燃料である事を特徴とする再生可能エネルギー作成法。
【請求項３】
請求項１に記載のバイオエタノールより、再生可能エネルギー作成までを途切れる事がない時間と、同一場所、同一ラインにより一貫して行なう事により、他の化石燃料等が混入される余地のない事を検証のできる発電行程による事を特徴とする再生可能エネルギーのオンサイト作成法と作成システム。
【請求項４】
請求項１に記載のバイオエタノールをエタノール用の改質器で水素を作成するまでの作成現場が発電現場ではない場所において作成された場合のグリーン水素が、国内、又は諸外国との協定がなされる検査証明機関においてグリーン水素である事が証明されたタンク入り水素を、そのまま発電現場に運送設置して、これより燃料電池で、又は水素用ガスタービンで途切れる事がない時間と同一場所、同一ラインによる発電までを一貫して行うことにより、他の化石燃料等が混入される余地のない事が検証のできる発電行程による再生可能エネルギーのオフサイト作成法と作成システム。
【発明の詳細な説明】
【技術分野】
【０００１】（イ）発明の技術分野
本発明のバイオマス燃料、特にバイオエタノールによりエタノール専用の改質器と燃料電池で、又は水素用ガスタービンで途切れる事がない時間と、同一場所、同一ラインで他の燃料の混入の余地のないシステムにより完全にクリーンな再生可能エネルギーを作成することに関する。
【発明の概要】
【発明が解決しようとする課題】
【０００２】（ロ）従来技術及びその問題点
背景技術としては、従来の国が認めている再生可能エネルギーは主に太陽光発電、風力発電、水力発電等があるが、これらの発電量は大きく天候に左右される問題▲Ａ▼があり、又発電時間も１日の内１０時間位と短い問題▲Ｂ▼がある。更にはよく知られているエネファームシステムの発電では化石燃料から同時に同一場所、同一ラインによる発電をしているが、本発明のごとく１日中工業的に安定して量産発電のできる再生可能エネルギーの作成を目的とはしていない。
その上、これまで主に利用されてきた化石燃料を使う改質器を利用してバイオマス燃料を使用すると、バイオマス燃料にはアルコールと微量の水分、酸素を有しており通常の改質器ではすぐに金属、ゴム、プラスチック等が腐食してしまい長期間の使用ができない問題▲Ｃ▼がある。【０００３】（ハ）発明の目的
本発明が解決しようとする課題である上記（ロ）の問題点を解決すべく鋭意努力した結果、上記の問題▲Ａ▼と▲Ｂ▼については本発明による再生可能エネルギー作成法により天候に左右される事がなく１日に２４時間安定して量産発電する事が出来る。
又▲Ｃ▼の問題についてはエタノール専用の水分、酸素、アルコールに対し強耐性の長期間使用のできるフレキシブルな改質器が使用される。
以上の様に本発明が工業的に安定して量産発電のできる再生可能エネルギーの作成法と作成システムを確立して再生可能エネルギー界としては初めてとなる発電面積的に最も効率良く発電が可能で、又天候によって大きく左右のされる事がなく工業的に１日に２４時間安定して量産発電のできる再生可能エネルギーの作成法と作成システムを自社が使用する、又は他社にも提供する事にある。【０００４】以上の発明をするに当たり今までによく知られている改質器の研究開発、燃料電池の研究開発、又それらの研究成果を出すための燃料となるメタノール、バイオエタノール、メタン、ブタン等の多くの燃料による改質システムや燃料電池発電システム等の研究成果はよく知られているが、それらはそれぞれ個々の目的のための研究成果であり、本発明のごとく完全な再生可能エネルギーの作成法と作成システムは提供されていない。
又今後盛んになっていくであろう国策によるスマートグリッド社会や再生  可能エネルギーが推進されていくに当たっては国が完全な再生可能エネルギーであると検査認証のできる再生可能エネルギーの作成法と作成システムが必要になってくると考え、まさにそれを発明し自他共に提供していく事にある。
【課題を解決するための手段】
【０００５】（ニ）発明の構成
本発明を解決するための手段としては、次の３つの条件が必要となる。
１つ目の条件として燃料となるバイオエタノールが１００％植物由来である事が検査認証のされた燃料である事。
２つ目の条件としてエタノール専用の水分、酸素、アルコールに対し強耐性で長期間使用可能な改質器を使用する事。
３つ目の条件として改質器で水素を作成し、作成した水素を燃料電池で、又は水素用ガスタービンで途切れる事がない時間と、同一場所、同一ラインにより発電までを一貫して行う事により、
他の化石燃料等が混入される余地のない事を検証のできる発電行程による事。【０００６】これら３通りの条件を満たした発電構成により得られる再生可能エネルギーは他の燃料が混入される事のない完全にクリーンな再生可能エネルギーである事が証明のできるこれら３条件のベストな構成によって初めて成し得る事ができる。
【発明の効果】
【０００７】（ホ）発明の効果
効果としては次の様ないくつかの効果がある。
一つは、本発明によると、今までの国が認めている再生可能エネルギーである太陽光、風力、水力、等の発電による天候に発電量が大きく左右されるような事が全く無くなる効果がある。
一つは、今までの再生可能エネルギー界にはなかった１日に２４時間の発電を安定して工業的に量産発電ができるという効果がある。
一つは、面積的な発電効率も今までの再生可能エネルギー発電方法に比べて数十倍、数百倍も少ない面積で同じ量の再生可能エネルギーの発電が出来る効果がある。
一つは、当然本発明でのバイオエタノールが他のバイオマス燃料によっても、又は太陽光、風力、水力、太陽熱等から由来作成がなされたグリーン水素燃料によっても、又は本発明での条件によるオフサイトによる発電行程においても同じ再生可能エネルギーを作成できるシステム効果がある。
一つは、バイオエタノールは燃料としては、ガソリン、灯油、プロパンガス、都市ガス、メタノール等に比べて全く毒性がなく、飲料としても使用されている最も安全な燃料であり、一般家庭での量的ストックもできるこのバイオエタノール燃料により、家庭でも使用のできる中型でコンパクトな改質器と燃料電池によって作成した再生可能エネルギーで一般家庭においても太陽光発電と同じく、家庭用電力として、又はコジェネとして産まれる熱湯としても使用出来、一般家庭においても百ｋｗ／ｈ級の再生可能エネルギー発電が可能なため、今までの太陽光春電よりも多量の売電システム利用も可能となり、一つの産業となっていく可能性が大きい。
一つは、今までの再生可能エネルギー界では不可能だった、わずか２，０００ｍ２未満の場所で数万キロｗ／ｈ級の中型再生可能エネルギーの発電が可能で都市ガスパイプラインの通っていない地方都市や、山間地方においても再生可能エネルギー発電のできる中規模産業となる。
一つは、今までの再生可能エネルギーの改良ではなく、上記に述べた様な数多くのイノベーション産業を生んでいく事になる。
以上の様に数ある再生可能エネルギー作成法の中でも、国が認める新規の再生可能エネルギーとなる産業的、工業的に極めて有用な効果がある
【図面の簡単な説明】
【０００８】
【図１】（ヘ）図１の簡単な説明  ▲１▼燃料であるバイオエタノールは１００％植物由来である事が検査認証のされた燃料であり、又タンクはアルコールに強耐性なタンクを使用。▲２▼微量の酸素、水分、アルコールに強耐性で、長期間使用可能なフレキシブルな改質器を使用。▲３▼改質器で水素を作成し、作成した水素を燃料電池で、又は水素用ガスタービンで途切れる事がない時間と、同一場所、同一ラインにより、発電までを図のごとく一貫して行う事により他の化石燃料等が混入される余地のないことを検証のできる発電行程である事。
【図１】
2019067485.tif 000003